(57)【特許請求の範囲】
【請求項１】
ショーケース本体の前面上部に電照板を備えたオープンショーケースにおいて、前記ショーケース本体に前記電照板の 上端部を差し込む隙間を形成するとともに、この電照板の背部に位置させて左右一対の引掛け金具を設け、前記隙間に上端部を差し込んだ前記電照板の両端部を 前記引掛け金具に支承させて保持するようにしたことを特徴とするオープンショーケースの電照板取付装置。
【請求項２】
ショーケース本体前面の上縁 部を覆うキャノピーフロントパネルと電照板背後の蛍光灯を支持するライトレールとの間に前記隙間を形成し、前記引掛け金具を前記ライトレールに固定すると ともに、前記電照板の下端部にＳ字状断面のモールを嵌め込み固着し、前記隙間に上端部を差し込んだ前記電照板を前記モールを介して前記引掛け金具に支承さ せるようにしたことを特徴とする請求項１記載のオープンショーケースの電照板取付装置。
【請求項３】
前記引掛け金具の背面から前記モールの上方に向けて化粧ねじをねじ込み、この化粧ねじで前記モールを押さえて前記電照板の浮き上がりを防止するようにしたことを特徴とする請求項２記載のオープンショーケースの電照板取付装置。
【発明の詳細な説明】
【０００１】
【発明の属する技術分野】
この発明は、コンビニエンスストアなどに設置されるオープンショーケースに関し、特にその電照板の取付構造に関する。
【０００２】
【従来の技術】
上記電照板はショーケース本体の前面上部に取り付けられ、陳列商品の表示や説明に用いられているが、この電照板は従来はねじでショーケース本体に締め付け固定されている。
【０００３】
【発明が解決しようとする課題】
そのため、電照板に汚れや割れなどが生じて交換の必要が生じた場合にはドライバーを使用しなければならず、その交換作業は甚だ面倒であった。この発明の課題は、電照板の交換作業を容易にし、かつその脱落を防止することにある。
【０００４】
【課題を解決するための手段】
この発明は、ショーケース本体に電照板の上端部を差し込む隙間を形成するとともに、この電照板の背部に位置させて左右一対の引掛け金具を設け、前記隙間に上端部を差し込んだ電照板の両端部を引掛け金具に支承させて保持するようにするものである。このような手段によれば、ねじを用いることなく差込みと引掛けだけで電照板を脱着することができる。
【０００５】
電照板の上端部を差し込む隙間は、ショーケース本体前面の上縁部を覆うキャノピーフロントパネルと電照板背後の蛍光灯を支持するライトレールとの間に形成し、また引掛け金具は前記ライトレールに固定するのがよく、これによりショーケース本体に大幅な設計変更を加えることなくこの発明を簡単に適用することができる。更に、電照板の下端部にＳ字状断面のモールを嵌め込み固着し、このモールを介して電照板を引掛け金具に支承させるようにすれば、電照板の下端面を保護するモールを引掛け金具に係合させるフックとして兼用することが可能となる。
【０００６】
更にまた、引掛け金具の背面からモールの上方に向かって化粧ねじをねじ込み、この化粧ねじでモールを押さえて電照板の浮き上がりを防止するようにすれば電照板の保持が一層確実になり、輸送中の振動や使用中の何らかの外力で電照板が引掛け金具から外れる危険を解消することができる。
【０００７】
【発明の実施の形態】
以下、図１〜図３に基づいてこの発明の実施の形態を説明する。まず、図３はオープンショーケースの全体構成を示す概略縦断面図である。図３において、オープンショーケースは断熱壁からなる本体１の内側に内外２層の冷気循環通路２及び３が形成され、図示しない冷却器を通して図示しないファンにより矢印で示すように循環する冷気は各々の吹出し口４及び５から吹き出され、前面にエアカーテンを形成して庫内を冷却している。庫内には棚６が多段に設置され、商品７が冷蔵・陳列されるとともに、庫内照明（蛍光灯）８で照明されている。ショーケース本体１の前面上部には方形帯状の例えば半透明のアクリル樹脂板からなる電照板９が取り付けられ、その背後にはキャノピー照明（蛍光灯）１０が設置されている。電照板９の前面には、陳列商品の種類、特長、値段などが例えば張紙などで表示される。キャノピー照明１０は電照板９を背面から照光する一方、オープンショーケースの前面や足下を照明している。
【０００８】
図１は図３におけるＡ部の拡大図、図２は図１における電照板及び引掛け金具の分解斜視図である。図１に おいて、ショーケース本体１の前面上縁部には、この部分を覆うキャノピーフロントパネル１１がねじ１２により取り付けられている。キャノピーフロントパネ ル１１はショーケース本体１の横幅に渡る長尺の化粧枠で鉄板から図示断面Ｊ字状に折り曲げ形成され、図示姿勢でショーケース本体１の上面から被さるように 固定されている。そして、キャノピーフロントパネル１１の内側には、キャノピー照明１０を支持するライトレール１３が設けられている。
【０００９】
ライトレール１３は鉄板から図示断面へ字状に折り曲げ形成されたやはり横長の長尺材で、左右２箇所の台形状の支持金具１４の斜面にねじ１５で固定され、また支持金具１４はねじ１６でショーケース本体１に固定されている。ライトレール１３の前面には樹脂成形品の蛍光灯ホルダ１７が左右２〜３箇所に嵌め込みにより固着され、キャノピー照明１０は蛍光灯ホルダ１７に把持されて固定されている。なお、ライトレール１３の背後には、キャノピー照明１０の点灯回路や配線が収納されている。ここで、キャノピーフロントパネル１１とライトレール１３の互いの対向部にはそれぞれ垂直な立ち上げ片１１ａ及び１３ａが設けられ、それらの間には電照板９の厚さより僅かに大きい隙間Ｇが形成されている。
【００１０】
一方、図１及び図２において、ライトレール１３の前面には、左右一対の引掛け金具１８がねじ１５による共締めにより取り付けられている。引掛け金具１８は鉄板からなり、図２に示すように上端部にライトレール１３と平行な取付部１８ａが折り曲げ形成され、下端部に電照板９を支承する受け部１８ｂが折り曲げ形成され、更に一方側面に補強用の側片１８ｃが折り曲げ形成されている。そして、受け部１８ｂの近傍にねじ穴が設けられ、このねじ穴には化粧ねじ１９がねじ込まれている。また、電照板９の下端部には、モール２０が固着されている。モール２０はアルミから断面Ｓ字状に押し出し成形されたもので、上向きの凹部を介して電照板９に嵌め込まれ、接着剤あるいは両面接着テープにより接合されて電照板９の下端面を保護している。モール２０のもう一方の下向きの凹部は引掛け金具１８の受け部１３ｂに係合するフックとなる。
【００１１】
上述した構成において、電照板９を図１の状態に取り付けるには、化粧ねじ１９を後退させておき、電照板９の上端部を隙間Ｇに下から差し込み、次いでモール２０を介して下端部を引掛け金具１８に支承させる。その後、化粧ねじ１９を前進させると、そのねじ軸部がモール２０の上面に近接して突出し、電照板９が持ち上がらないように押さえる。電照板９を取り外すには、化粧ねじ１９を後退させ、電照板９持ち上げてモール２０を引掛け金具１８から抜き出し、次いで電照板９を下に引き下ろす。
【００１２】
図示実施の形態によれば、隙間Ｇへの差込みと引掛け金具１８への引掛けだけで電照板９を着脱できる。また、化粧ねじ１９でモール２０を押さえることで、輸送中の振動や商品の補充時などに手が当たるなどにより電照板９が外れる心配がない。また、隙間Ｇはキャノピーフロントパネル１１とライトレール１３を利用して形成し、また引掛け金具１８はライトレール１３を利用して固定しているので、オープンショーケースを大幅に設計変更することなく実施することができる。ただし、この発明は、図示実施の形態に限定されるものではなく、電照板９が取り付けられるショーケース本体の前面上部が異なる構造の場合であっても、適宜の補助部材を追加することにより任意に適用可能である。
【００１３】
【発明の効果】
以上の通り、この発明によれば、電照板の交換作業がドライバなどの工具を用いることなく簡単に行える一方、輸送中の振動や不測の外力などで外れる心配もないので、オープンショーケースのサービス性が大いに向上する。
【図面の簡単な説明】
【図１】この発明の実施の形態を示すオープンショーケースの電照板取付部の縦断面図である。
【図２】図１における電照板及び引掛け金具の分解斜視図である。
【図３】図１の電照板を備えたオープンショーケースの全体構成を示す概略縦断面図である。
【符号の説明】
１    ショーケース本体
９    電照板
１０    キャノピーフロントパネル
１３    ライトレール
１８    引掛け金具
１９    化粧ねじ
２０    モール
Ｇ    隙間
【図１】
0003674743.tif 000002
【図２】
0003674743.tif 000003
【図３】
0003674743.tif 000004